(57)【特許請求の範囲】
【請求項１】
水解性材料からなるシートを重ね合わせてシート積層体が構成されるとともに、基端部がハンドルによって着脱自在に把持されるブラシヘッドにおいて、
前記シートは、フラット状の基材シートと、波状の断面形状を有する立体シートとが重ねられて接着されることによって形成されており、
前記シート積層体は、前記ハンドルに把持される基端部において圧縮されるとともに結合されており、
前記基材シートと前記立体シートとの間には複数の空隙が形成され、これら複数の空隙のうち少なくとも一つに洗剤が収納されており、
前記複数の空隙のうち前記洗剤が収納された前記空隙の両端部が閉塞されていることを特徴とするブラシヘッド。
【請求項２】
前記シート積層体は、複数の前記シートにより構成され、
前記シート積層体は、先端部側で折り返されることによって、二つに折り重ねられていることを特徴とする請求項１に記載のブラシヘッド。
【請求項３】
前記シート積層体は、複数の前記シートにより構成され、
前記シート積層体は、先端部側で二回折り返されるとともに前記基端部側で一回折り返されることによって、略Ｗ字型に折り重ねられていることを特徴とする請求項１に記載のブラシヘッド。
【請求項４】
前記シート積層体は、複数の前記シートにより構成され、
前記シートは、各々先端部側で折り返されて二つ折りされ、
前記シート積層体は、二つ折りされた前記シートが積層されていることを特徴とする請求項１に記載のブラシヘッド。
【請求項５】
前記シート積層体は、前記シートが、先端部側と前記基端部側で繰り返し折り返されることによって構成されていることを特徴とする請求項１に記載のブラシヘッド。
【請求項６】
前記シート積層体は、前記シートがロール状に巻かれることによって構成されていることを特徴とする請求項１に記載のブラシヘッド。
【請求項７】
前記シート積層体は、複数の前記シートにより構成され、
前記シート積層体は、ロール状に巻かれていることを特徴とする請求項１に記載のブラシヘッド。
【請求項８】
前記基材シートおよび前記立体シートのうち少なくとも前記洗剤が収納された前記空隙の部位が水溶性材料で構成されていることを特徴とする請求項１〜７のいずれか一項に記載のブラシヘッド。
【請求項９】
前記シート積層体の最外層には、レーヨン繊維の含有率が５０％以上に設定されたカバーシートが配置されていることを特徴とする請求項１〜８のいずれか一項に記載のブラシヘッド。
【発明の詳細な説明】
【技術分野】
【０００１】
本発明は、清掃に使用されるブラシヘッドに関する。
【背景技術】
【０００２】
従来、ハンドルの先端に多数のブラシ毛材が植え付けられたトイレブラシが、便器の清掃に使用されている。しかし、使用後のブラシに汚れが付着していたり、ブラシに含まれた水が周囲にはねたり、床に滴るような場合がある。このため、衛生状態を向上させる観点から、使い捨てにできるブラシヘッドに関する技術が開発されている（例えば、特許文献１，２参照）。
これら特許文献１，２に記載のブラシヘッドは、水溶性または水解性のあるフラット状のシートをアコーディオン式に折りたたんで積層したり、シートの短い断片を一度折り返し、または全く折り返さずに積層したりして形成されている。
【先行技術文献】
【特許文献】
【０００３】
【特許文献１】特許第４２６０１８５号公報
【特許文献２】特許第４４８２５５９号公報
【発明の概要】
【発明が解決しようとする課題】
【０００４】
ところで、特許文献１，２に記載のブラシヘッドを構成するシートは、水溶性または水解性のあるものが使用されてはいるが、隙間なく幾重にも積層して使用しているため、便器の清掃後に水と一緒に流した際に分解されにくく、配管の詰まりなどが懸念される。
さらに、シート自体は薄いものであるため、汚れを擦って落とす目的で使用される道具としては剛性が不十分となる場合がある。
【０００５】
本発明の課題は、水解性に優れ、かつ剛性を高めることが可能なブラシヘッドを提供することを目的とする。
【課題を解決するための手段】
【０００６】
前記課題を解決するために、請求項１に記載の発明は、水解性材料からなるシートを重ね合わせてシート積層体が構成されるとともに、基端部がハンドルによって着脱自在に把持されるブラシヘッドにおいて、
前記シートは、フラット状の基材シートと、波状の断面形状を有する立体シートとが重ねられて接着されることによって形成されており、
前記シート積層体は、前記ハンドルに把持される基端部において圧縮されるとともに結合されており、
前記基材シートと前記立体シートとの間には複数の空隙が形成され、これら複数の空隙のうち少なくとも一つに洗剤が収納されており、
前記複数の空隙のうち前記洗剤が収納された前記空隙の両端部が閉塞されていることを特徴とする。
【０００７】
請求項２に記載の発明は、請求項１に記載のブラシヘッドにおいて、前記シート積層体は、複数の前記シートにより構成され、
前記シート積層体は、先端部側で折り返されることによって、二つに折り重ねられていることを特徴とする。
【０００８】
請求項３に記載の発明は、請求項１に記載のブラシヘッドにおいて、前記シート積層体は、複数の前記シートにより構成され、
前記シート積層体は、先端部側で二回折り返されるとともに前記基端部側で一回折り返されることによって、略Ｗ字型に折り重ねられていることを特徴とする。
【０００９】
請求項４に記載の発明は、請求項１に記載のブラシヘッドにおいて、前記シート積層体は、複数の前記シートにより構成され、
前記シートは、各々先端部側で折り返されて二つ折りされ、
前記シート積層体は、二つ折りされた前記シートが積層されていることを特徴とする。
【００１０】
請求項５に記載の発明は、請求項１に記載のブラシヘッドにおいて、前記シート積層体は、前記シートが、先端部側と前記基端部側で繰り返し折り返されることによって構成されていることを特徴とする。
【００１１】
請求項６に記載の発明は、請求項１に記載のブラシヘッドにおいて、前記シート積層体は、前記シートがロール状に巻かれることによって構成されていることを特徴とする。
【００１２】
請求項７に記載の発明は、請求項１に記載のブラシヘッドにおいて、前記シート積層体は、複数の前記シートにより構成され、
前記シート積層体は、ロール状に巻かれていることを特徴とする。
【００１３】
請求項８に記載の発明は、請求項１〜７のいずれか一項に記載のブラシヘッドにおいて、前記基材シートおよび前記立体シートのうち少なくとも前記洗剤が収納された前記空隙の部位が水溶性材料で構成されていることを特徴とする。
【００１４】
請求項９に記載の発明は、請求項１〜８のいずれか一項に記載のブラシヘッドにおいて、前記シート積層体の最外層には、レーヨン繊維の含有率が５０％以上に設定されたカバーシートが配置されていることを特徴とする。
【発明の効果】
【００１５】
本発明によれば、水解性材料からなるシートを、フラット状の基材シートと、波状の断面形状を有する立体シートとを重ねて接着することによって形成することから、例えば段ボールのようなフルート構造を取り入れることができるので、シートの剛性を高めることができる。また、このようにシートの剛性を高めながら、このシートを形成する基材シートや立体シートの量を少なくすることができるので、例えば、このシートと同じ厚みになるまで水解性のあるシートを重ね合わせたような構成のものに比して、水解性に優れる。これによって、ブラシヘッドの水解性および剛性を高めることが可能となるので、汚れを擦って落としやすくなるとともに、清掃後に水と一緒に流した際の配管の詰まりなどを防ぐことができる。
【図面の簡単な説明】
【００１６】
【図１】（ａ）は本発明に係るブラシヘッドをシートによって構成することを説明する図であり、（ｂ）はシートのその他の例を示す図である。
【図２】本発明に係るブラシヘッドの概略構成を示す斜視図であり、（ａ）は基端部の圧縮前の状態、（ｂ）は基端部の圧縮後の状態である。
【図３】本発明に係るブラシヘッドの他の例の概略構成を示す図である。フルート構造は省略する。
【図４】本発明に係るブラシヘッドの他の例の概略構成を示す図であり、（ａ）は変形前の状態、（ｂ）は変形後の状態である。フルート構造は省略する。
【図５】本発明に係るブラシヘッドの他の例の概略構成を示す図である。
【図６】本発明に係るブラシヘッドの他の例の概略構成を示す図である。
【図７】本発明に係るブラシヘッドの他の例の概略構成を示す図である。フルート構造は省略する。
【図８】シートの空隙に洗剤が収納された状態を示す部分拡大断面図である。
【図９】シートの一例を示す斜視図である。
【発明を実施するための形態】
【００１７】
以下、図面を参照して本発明の実施の形態について説明する。ただし、発明の範囲は、図示例に限定されない。
【００１８】
本実施の形態のブラシヘッド１Ａは、図１および図２に示すように、水解性材料からなるシート１０（１０ａ，１０ｂ）を重ね合わせてシート積層体が構成されるとともに、基端部３がハンドル（図示せず）によって着脱自在に把持されるものである。そして、ブラシヘッド１Ａとハンドルとによってトイレブラシを構成することができる。
前記シート積層体は、複数の前記シート１０（１０ａ，１０ｂ）により構成されている。また、このシート積層体は、前記ハンドルに把持される基端部３において圧縮されるとともに結合されている。
【００１９】
前記シート１０（１０ａ，１０ｂ）は、図１，図２，図８，図９に示すように、フラット状の基材シート１１と、波状の断面形状を有する立体シート１２とを重ねて接着することによって形成されている。
これら基材シート１１および立体シート１２は、水に触れることで小片化して水中に分散する性質（すなわち、水解性）を有する。これら基材シート１１および立体シート１２を構成する素材としては、木質パルプや、レーヨン等の再生セルロース、麻、綿などが挙げられる。
また、前記基材シート１１および立体シート１２として、水解性のある素材からなる単一層のシートを使用してもよいし、木質パルプとレーヨン等の再生セルロースとの混抄層のシートや、単一層と混抄層の積層構造のシートや、湿式抄紙、スパンレース、エアスルーなどにより形成したシート等を使用してもよい。
また、これら基材シート１１および立体シート１２の坪量としては、１０〜６０ｇｓｍ（Gram per Square Meter）程度に設定されていることが望ましい。
【００２０】
図１（ａ）のシート１０ａは、２枚の基材シート１１，１１と、これら２枚の基材シート１１，１１間に設けられる立体シート１２とからなる。
また、図１（ｂ）のシート１０ｂは、１枚の基材シート１１と、１枚の立体シート１２とからなる。
すなわち、図１（ａ）に示すシート１０ａの場合も、図１（ｂ）に示すシート１０ｂの場合も、フラット状の基材シート１１と、波状の断面形状を有する立体シート１２との組み合わせにより例えば段ボールのようなフルート構造とすることができるので、シート１０ａ，１０ｂの剛性を高めることができる。また、フルート構造とすることで、基材シート１１や立体シート１２の量を少なく、かつ基材シート１１と立体シート１２との間に隙間をあけることができるので、水解性に優れるとともに、材料コストを低減できる。
特に図１（ｂ）に示すシート１０ｂの場合は、図１（ａ）に示すシート１０ａよりも基材シート１１の量を少なくすることができるので、さらに水解性に優れ、材料コストもさらに低減できる。つまり、図１（ｂ）に示すシート１０ｂが、シート１０を構成する最小単位の形態とされている。
【００２１】
なお、本実施の形態においては、図２に示すように、図１（ａ）に示すシート１０ａを使用しているが、図１（ｂ）に示すシート１０ｂを使用してもよく、特に限定されるものではない。
さらに、シート積層体を構成するシート１０の組み合わせや配置に制限はない。
例えば、図１（ａ）に示すシート１０ａと図１（ｂ）に示すシート１０ｂとを組み合わせてもよい。
また、シート１０は、本実施の形態においては側断面視または側面視において連続する波形状が表れるようにして配置されているが、特に限定されるものではない。すなわち、例えば先端部２から見た際に連続する波形状が表れるように配置してもよいし、重なり合うシート１０，１０ごとに波形状が互い違いになるように配置してもよい。
また、図１（ｂ）に示すシート１０ｂによりシート積層体を構成する場合は、重なり合う一方のシート１０ｂの基材シート１１と他方のシート１０ｂの立体シート１２とが隣接する必要はなく、基材シート１１，１１同士が隣接してもよいし、立体シート１２，１２同士が隣接していてもよい。つまり、表裏も関係なく配置してもよい。したがって、図２において、シート積層体の最外層には基材シート１１が配置されているが、波形状が表面に露出するように立体シート１２が最外層に配置されるようにしてもよい。
【００２２】
また、立体シート１２の波形状の頂点部分は基材シート１１に当接しており、この当接部分は水溶性接着剤等の接着剤によって接着されている。
なお、基材シート１１と立体シート１２との接着方法は、接着剤を使用する方法に限られるものではなく、例えば基材シート１１と立体シート１２との当接部分を圧着する方法を採ってもよく、適宜変更可能である。
【００２３】
また、立体シート１２は波状の断面形状を有するため、この立体シート１２と前記基材シート１１との間には、図１に示すように、複数のトンネル状の空隙１３…が形成されている。また、これら複数の空隙１３…は、立体シート１２の波形状の長さ方向に沿って形成されている。
そして、これら複数の空隙１３のうち少なくとも一つには、図８に示すように、例えば粉状の界面活性剤や発泡剤を含んだ洗剤１４が収納されている。その他にも漂白剤等を収納してもよい。
このように洗剤１４を、複数の空隙１３…のうち少なくとも一つに収納できるので、清掃の際に洗剤を用意する必要が無くなる。
なお、基材シート１１および立体シート１２のうち、少なくとも洗剤１４が収納された空隙１３の部位を、水解性材料ではなく、例えばＰＶＡフィルム等の水溶性材料で構成してもよい。これによって、便器を清掃する際に、水溶性材料で構成した部分が水に触れることで溶解するので、空隙１３内の洗剤１４を、粉のまま、または水に溶けた状態で外部に出すことができる。
【００２４】
なお、空隙１３の両端部を閉塞し、この空隙１３を、外部に対して閉じられた空間としてもよいものとする。すなわち、上述のように立体シート１２の波形状の頂点部分は基材シート１１に接着されている。このため、空隙１３は、基材シート１１と立体シート１２との当接部分の二方向はすでに接着されて閉塞された状態となっている。したがって、このように空隙１３の両端部を閉塞することで、空隙１３の四方を閉塞することができる。
このように空隙１３の四方を閉塞すれば、この空隙１３内に収納された前記洗剤１４が清掃前にこぼれおちることを防ぐことができる。
【００２５】
また、空隙１３の両端部を閉塞する際は、図９に示すように、この空隙１３の両端部に隔壁１３ａをそれぞれ設けるようにしてもよい。この隔壁１３ａは、立体シート１２の波状の断面形状に対応した形に形成されている。
【００２６】
また、図９に示すように、立体シート１２の波形状を細分化し、細分化された波形状の空隙１３の両端部をそれぞれ閉塞することによって、外部に対して閉じられた空間（小部屋）を多数形成してもよい。
図９において、細分化された波形状の空隙１３の両端部には隔壁１３ａがそれぞれ設けられているものとする。
【００２７】
また、前記シート積層体を構成する複数のシート１０同士は、図２に示すように接着された状態となっているが、これに限られるものではない。
すなわち、圧縮されて結合される基端部３を除いて、複数のシート１０同士が接着されずに分離した状態となっていてもよい。また、例えば先端部２付近だけを接着せずに分離し、中央部付近から基端部３までを接着した状態とするなど、圧縮されて結合される基端部３を除いて、部分的にシート１０同士が接着された状態となっていてもよい。
【００２８】
前記基端部３は、前記ハンドルによって着脱自在に把持されるツマミ部４とされている。このツマミ部４は、シート１０を重ね合わせて構成されるシート積層体を、基端部３において圧縮するとともに結合することによって形成されている。すなわち、重ね合わせたシート１０，１０自体を圧力処理して結合することで、ツマミ部４を形成する際にシート１０の水解性を阻害するような部材を使わないようにすることができる。
【００２９】
本実施の形態においては、シート積層体の表裏両面もしくは片面からエンボス加工を行うことによって、シート積層体を、基端部３において圧縮結合している。
なお、その他にも、シート積層体を圧縮した状態で適宜切削加工して、重なり合ったシート１０で形成された差込片と、この差込片が差し込まれる被差込孔とを形成する方法もある。これは、シート積層体を圧縮した状態のまま、差込片を被差込孔に差し込むことによって、シート積層体を、基端部３において結合する、というものである。
【００３０】
また、重ね合わされたシート１０の最外層には、レーヨン繊維の含有率が５０％以上に設定されたカバーシート１５を配置してもよいものとする。
レーヨン繊維の含有率が５０％以上に設定されたカバーシート１５は、レーヨン繊維の含有率が５０％未満のものや、単に木質パルプで構成されたものよりも強度において優れる。このため、ブラシヘッド１Ａの最外層にカバーシート１５を配置すれば、汚れを擦って落とすのに好適な形態にすることができる。
【００３１】
前記ハンドルは、図示はしないが棒状に形成されており、先端部に、前記ツマミ部４を把持する把持部が設けられているものとする。
また、このハンドルは、前記把持部を操作する操作手段を備えており、使用者が適宜操作することによって、把持部でブラシヘッド１Ａを把持したり、ブラシヘッド１Ａを離したりすることができる。
【００３２】
本実施の形態のブラシヘッド１Ａで便器の清掃を行う際は、まず、ハンドルにブラシヘッド１Ａを取り付ける。
続いて、ブラシヘッド１Ａを水で濡らしてから清掃を開始する。ブラシヘッド１Ａを水で濡らすことによって、空隙１３に収納された洗剤１４を外部に出すことができるので、洗剤１４を使用しながら清掃を行うことができる。
清掃が終了したら、ハンドルからブラシヘッド１Ａを取り外して便器内に投入し、水で流して使い捨てることができる。以上のようにして、本実施の形態のブラシヘッド１Ａで便器の清掃を行うことができる。
【００３３】
なお、本発明を適用可能な実施の形態は、上述した実施の形態に限定されることなく、本発明の趣旨を逸脱しない範囲で適宜変更可能である。以下、変形例について説明する。
【００３４】
＜変形例１＞
本実施例のブラシヘッド１Ｂは、図３に示すように、水解性材料からなるシート１０を重ね合わせてシート積層体が構成されるとともに、基端部３がハンドル（図示せず）によって着脱自在に把持されるものである。
シート積層体は、複数の前記シート１０…により構成されている。また、このシート積層体は、先端部２側で折り返されることによって、二つに折り重ねられている。
【００３５】
先端部２には、二つ折りされたシート積層体の中央部が配置されている。また、基端部３には、二つ折りされたシート積層体の両端部が重ね合わせられて配置されている。
さらに、基端部３において重ね合わされたシート積層体の両端部は、圧縮されるとともに結合されている。
【００３６】
本実施例のブラシヘッド１Ｂは、複数のシート１０…により構成されるシート積層体を一遍に二つ折りすることによって形成されているので、フルート構造のシート１０が折り重なった状態となり、複数のシート１０…を単に積層する場合に比して剛性を高めることができる。
【００３７】
なお、図示例においては、シート１０を表す線が一枚のシート１０とされているが、これをシート積層体に置き換えてもよいものとする。すなわち、シート１０を重ね合わせて構成されるシート積層体を、さらに複数重ね合わせたうえで二つ折りするような形態としてもよい。
【００３８】
＜実施例２＞
本実施例のブラシヘッド１Ｃ（１Ｃａ，１Ｃｂ）は、図４（ａ），（ｂ）に示すように、水解性材料からなるシート１０を重ね合わせてシート積層体が構成されるとともに、基端部３がハンドル（図示せず）によって着脱自在に把持されるものである。
シート積層体は、複数の前記シート１０…により構成されている。また、このシート積層体は、先端部２側で二回折り返されるとともに前記基端部３側で一回折り返されることによって、略Ｗ字型に折り重ねられている。
【００３９】
先端部２には、略Ｗ字型に折り重ねられたシート積層体の二つの山折り部が配置されている。また、基端部３には、略Ｗ字型に折り重ねられたシート積層体の両端部と、谷折りされた中央部とが重ね合わされて配置されている。
【００４０】
なお、図４（ａ）に示すブラシヘッド１Ｃａは、シート積層体を一遍に略Ｗ字型に折り重ねた状態となっている。
また、図４（ｂ）に示すブラシヘッド１Ｃｂは、各シート１０…を略Ｗ字型に折り、かつ、互いに重なり合う一方の略Ｗ字型のシート１０の谷折りされた中央部に、他方の略Ｗ字型のシート１０の両端部と中央部とを重ね合わせるようにして、全てのシート１０…を重ね合わせた状態となっている。
図４（ａ），（ｂ）に示すブラシヘッド１Ｃのいずれにしても、シート積層体が略Ｗ字型に折り重ねられているため、谷折りされた中央部で、一方の山折り部側と他方の山折り部側に分割しやすい構造となる。
【００４１】
本実施例のブラシヘッド１Ｃは、谷折りされた中央部で、一方の山折り部側と他方の山折り部側に分割しやすい構造となっているため、便器のボール面だけでなく、従来のブラシヘッドでは届きにくい便器のエッジ部分を効率良く清掃することができる。
また、複数のシート１０…により構成されるシート積層体は先端部２で折られているので、フルート構造のシート１０が折り重なった状態となり、複数のシート１０…を単に積層する場合に比して剛性を高めることができる。
【００４２】
なお、図示例においては、シート１０を表す線が一枚のシート１０とされているが、これをシート積層体に置き換えてもよいものとする。すなわち、シート１０を重ね合わせて構成されるシート積層体を、さらに複数重ね合わせたうえで略Ｗ字型に折り重ねるような形態としてもよい。
【００４３】
＜実施例３＞
本実施例のブラシヘッド１Ｄは、図５に示すように、水解性材料からなるシート１０を重ね合わせてシート積層体が構成されるとともに、基端部３がハンドル（図示せず）によって着脱自在に把持されるものである。
シート積層体は、複数の前記シート１０により構成され、前記シート１０は、各々先端部２側で折り返されて二つ折りされている。また、このシート積層体は、二つ折りされた前記シートが積層されている。すなわち、一枚一枚のシート１０…が二つ折りされた状態で積層している。
【００４４】
先端部２には、二つ折りされた各シート１０…の中央部が配置されている。また、基端部３には、二つ折りされた各シート１０…の両端部が重ね合わせられて配置されている。
さらに、基端部３において重ね合わされた各シート１０…の両端部は、図中の矢印のように圧縮されるとともに結合される。
【００４５】
本実施例のブラシヘッド１Ｄは、各シート１０…を一枚一枚二つ折りすることによって形成されているので、フルート構造のシート１０が折り重なった状態となり、複数のシート１０…を単に積層する場合に比して剛性を高めることができる。
＜実施例４＞
本実施例のブラシヘッド１Ｅは、図６に示すように、水解性材料からなるシート１０を重ね合わせてシート積層体が構成されるとともに、基端部３がハンドル（図示せず）によって着脱自在に把持されるものである。
シート積層体は、前記シート１０が、先端部２側と前記基端部３側で繰り返し折り返されることによって構成されている。すなわち、一枚のシート１０を繰り返し折り返すことによって複数の層を形成している。
【００４６】
先端部２および基端部３には、一枚のシート１０の両端部と、折り返し部とが重ね合わされて配置されている。
さらに、基端部３において重なり合うシート１０の両端部および折り返し部は、図中の矢印のように圧縮されるとともに結合される。
【００４７】
本実施例のブラシヘッド１Ｅは、一枚のシート１０を繰り返し折り返すことによって形成されているので、フルート構造のシート１０が折り重なった状態となり、複数のシート１０…を単に積層する場合に比して剛性を高めることができる。
【００４８】
＜実施例５＞
本実施例のブラシヘッド１Ｆは、図７に示すように、水解性材料からなるシート１０がロール状に巻かれることによって構成された第一シート積層体と、複数のシート１０…を積層することによって構成された第二シート積層体とを組み合わせて構成されるとともに、基端部３がハンドル（図示せず）によって着脱自在に把持されるものである。また、第二シート積層体は、第一シート積層体の周囲に複数配置されている。
【００４９】
ロール状に巻かれたシート１０により構成された第一シート積層体には、シート１０が重なり合った複数の層を形成することができる。
なお、本実施例においては第一シート積層体を一枚のシート１０により構成されるものとしたが、これに限られるものではなく、複数のシート１０…により構成されるものとしてもよい。すなわち、第一シート積層体を複数のシート１０…により構成し、この第一シート積層体をロール状に巻くことによって形成される。この場合、一枚のシート１０をロール状に巻くよりも複数の層を形成できるので、より剛性を高めることができる。
【００５０】
第二シート積層体の最外層には、レーヨン繊維の含有率が５０％以上に設定された前記カバーシート１５がそれぞれ配置されている。本実施例においては、このカバーシート１５によって第二シート積層体が巻かれて被覆された状態となっている。
【００５１】
基端部３には、第一シート積層体の端部と、最外層にカバーシート１５が配置された第二シート積層体の端部とが束ねられるようにして重ね合わされて配置されている。
さらに、基端部３において重ね合わされた第一シート積層体の端部と、第二シート積層体の端部は圧縮されるとともに結合されている。
【００５２】
本実施例のブラシヘッド１Ｆは、ロール状に巻かれたシート１０を使用しているので、フルート構造のシート１０が同心円状に重なり合った状態となり、複数のシート１０…を単に積層する場合に比して剛性を高めることができる。さらに、第一シート積層体の周囲には、強度の高いカバーシート１５によって被覆された第二シート積層体が複数配置されているので、より剛性の高い構造にすることができる。
また、第一シート積層体の周囲に、第二シート積層体を配置するので、ブラシヘッド１Ｆを多面的に使用することができ、使い勝手が良い。
さらに、第一シート積層体の端部と、最外層にカバーシート１５が配置された第二シート積層体の端部とが束ねられているので、第二シート積層体は、基端部３を基点にして、ロール状に巻かれたシート１０から離間する方向に屈曲させることができる。これによって、従来のブラシヘッドでは届きにくい便器のエッジ部分を、第二シート積層体で効率良く清掃することができる。
【００５３】
なお、本実施例においては、第一シート積層体と第二シート積層体とを組み合わせたが、これに限られるものではなく、第一シート積層体を単体で使用してもよいし、第一シート積層体を複数結合して使用してもよい。
【００５４】
上述のような各実施例を含む本実施の形態によれば、水解性材料からなるシート１０を、フラット状の基材シート１１と、波状の断面形状を有する立体シート１２とを重ねて接着することによって形成することから、例えば段ボールのようなフルート構造を取り入れることができるので、シート１０の剛性を高めることができる。
また、このようにシート１０の剛性を高めながら、このシート１０を形成する基材シート１１や立体シート１２の量を少なくすることができるので、例えば、このシート１０と同じ厚みになるまで水解性のあるシートを重ね合わせたような構成のものに比して、水解性に優れる。これによって、ブラシヘッド１Ａ，１Ｂ，１Ｃ，１Ｄ，１Ｅ，１Ｆの水解性および剛性を高めることが可能となるので、汚れを擦って落としやすくなるとともに、清掃後に水と一緒に流した際の配管の詰まりなどを防ぐことができる。
【符号の説明】
【００５５】
１Ａ  ブラシヘッド
１Ｂ  ブラシヘッド
１Ｃ  ブラシヘッド
１Ｄ  ブラシヘッド
１Ｅ  ブラシヘッド
１Ｆ  ブラシヘッド
２  先端部
３  基端部
４  ツマミ部
１０  シート
１１  基材シート
１２  立体シート
１３  空隙
１３ａ  隔壁
１４  洗剤
１５  カバーシート
【図１】
0005805485.tif 000002
【図２】
0005805485.tif 000003
【図３】
0005805485.tif 000004
【図４】
0005805485.tif 000005
【図５】
0005805485.tif 000006
【図６】
0005805485.tif 000007
【図７】
0005805485.tif 000008
【図８】
0005805485.tif 000009
【図９】
0005805485.tif 000010